(57)【特許請求の範囲】
【請求項１】
熱風室６と排風室８とを備える乾燥室３を機枠１内に設け、高速回転する遠心ファン３０と、この遠心ファン３０を内蔵するファン胴３１及び排風ダクト３２からなる排風装置７を機枠１の背面に設けた穀物乾燥機において、排風室８にのぞむファン胴３１入り口部にベルマウス状のガイド部３４を設け、このガイド部３４に並列して遠心ファン３０を、回転軸３５中心に複数の羽根３６，３６…を所定角度に配設して片側吸入の遠心ファン３０に構成し、ファン胴３１は遠心ファン３０に回転に伴い起風し円形開口３２からの空気を上方に放出するべく構成し、ファン胴３１には中間ダクト３２ａと最終ダクト３２ｂとからなる排風ダクト３２を接続し、中間ダクト３２ａはファン胴側３１との接続部である下部側を断面矩形状に形成し、ベルマウス状ガイド部３４の存在側から非存在側に向かって断面積を拡大しながら上部側を断面円形状に形成し、かつ、ベルマウス状ガイド部３４の存在側から非存在側に向かってやや方向変換すべく構成し、最終ダクト３２ｂは断面円形状に形成すると共に空気流れを上方向きから横方向向きに変換すべくエルボ状に形成し、中間ダクト３２ａと最終ダクト３２ｂとを縦軸芯周りに首振り自在に構成したことを特徴とする穀粒乾燥機。
【発明の詳細な説明】
【０００１】
【発明の属する技術分野】
この発明は穀物乾燥機に関する。
【０００２】
【従来の技術及び発明が解決しようとする課題】
排風室に通じる排風装置を接続するにあたっては、従来、軸流ファンを採用しているため、前後長さを大きくする傾向にあった。
【０００３】
【課題を解決するための手段】
この発明は、乾燥機の前後長を短くするため遠心ファンを採用し、あわせて整流を確保しようとするもので、熱風室６と排風室８とを備える乾燥室３を機枠１内に設け、高速回転する遠心ファン３０と、この遠心ファン３０を内蔵するファン胴３１及び排風ダクト３２からなる排風装置７を機枠１の背面に設けた穀物乾燥機において、排風室８にのぞむファン胴３１入り口部にベルマウス状のガイド部３４を設け、このガイド部３４に並列して遠心ファン３０を、回転軸３５中心に複数の羽根３６，３６…を所定角度に配設して片側吸入の遠心ファン３０に構成し、ファン胴３１は遠心ファン３０に回転に伴い起風し円形開口３２からの空気を上方に放出するべく構成し、ファン胴３１には中間ダクト３２ａと最終ダクト３２ｂとからなる排風ダクト３２を接続し、中間ダクト３２ａはファン胴側３１との接続部である下部側を断面矩形状に形成し、ベルマウス状ガイド部３４の存在側から非存在側に向かって断面積を拡大しながら上部側を断面円形状に形成し、かつ、ベルマウス状ガイド部３４の存在側から非存在側に向かってやや方向変換すべく構成し、最終ダクト３２ｂは断面円形状に形成すると共に空気流れを上方向きから横方向向きに変換すべくエルボ状に形成し、中間ダクト３２ａと最終ダクト３２ｂとを縦軸芯周りに首振り自在に構成したことを特徴とする穀粒乾燥機の構成とする。
【０００４】
【発明の作用効果】
遠心ファン３１の回転に伴い、機枠１の円形開口３２より排風を吸引し、ファン胴３１の上方に向けて吐出される。そして、中間ダクト３２ａ，最終ダクト３２ａを経て機外に排出される。
ここで、空気流れについて説明すると、遠心ファン３０による旋回流は上方に向けられるが、ファン胴３１には中間ダクト３２ａと最終ダクト３２ｂとからなる排風ダクト３２を接続し、中間ダクト３２ａの案内胴部はファン胴３１側との接続部を断面矩形状に形成すると共にベルマウス状ガイド部３４の存在側から非存在側に向かって断面積を拡大しながら上部側を断面円形状に形成し、かつ、前記ベルマウス状ガイド部３４の存在側から非存在側に向かってやや方向変換される構成とするため、ガイド部３４の外周を旋回する旋回流が徐々に当該方向に変換されようとし、全体の旋回流れに合流させ得、加えて断面積が徐々に拡大されるから、この中間ダクト３２ａ内においては全体として整流を得ることができる。
【０００５】
また、この中間ダクト３２ａはガイド部３４の存在側から非存在側に向かって矩形断面のままやや方向変換すべく形成されるから、機壁の突出部、例えばタンク部の接合鍔部を迂回できるため、組付け上で有利である。
【０００６】
【実施例】
この発明の一実施例を図面に基づき説明する。１は穀粒乾燥機の機枠で、この機枠内には上部から貯留タンク２、乾燥室３、集穀室４を縦設し、このうち乾燥室３は、バ−ナ５を有するバーナ胴に通じる熱風室６と排風装置７に通じる排風室８との間に穀粒流下通路９，９をＶ字状に形成してなり、各流下通路９，９の下部に設ける繰出ドラム１０の正逆回転連動により所定量毎に流下する穀粒に熱風を浴びせて乾燥する構成である。
【０００７】
上記機枠１外部には集穀室４の一側に集めた穀粒を貯留タンク２に揚上還元する昇穀機１１を立設する。この昇穀機１１は内部上下一対の駆動プーリ１２と被動プーリとの間にバケット１３付ベルト１４を巻回する構成であり、集穀室４下部に横設する下部移送螺旋１５により一側に移送された乾燥穀粒を掬い上げ上部に移送できる構成としている。この昇穀機１１で掬われ上部で投てきされる穀粒は、投げ口開口部１６を介して上部移送螺旋１７を設ける移送樋１８の始端側に案内される。尚、移送螺旋１７で水平移送される穀粒は貯留タンク２の中央上部に配設する回転拡散盤１９に案内され、貯留タンク２内に拡散落下される構成としている。
【０００８】
前記昇穀機１１、上部及び下部移送螺旋１５，１７からなる穀粒循環系は、機枠下隅部の駆動モ−タ２０により回転連動する。該モ−タ２０駆動軸にはカウンタプーリ２１を介して下部移送螺旋１５の軸２２を回転連動し、該下部移送螺旋１５の回転は、昇穀機１１のバケットベルト１４を連動回転すると共に、上部移送螺旋１６を連動しうる構成である。
【０００９】
又、上記繰出ドラム１０はドラムモータ２３をもって正逆回転連動する構成である。上記昇穀機１１の適宜高さの位置における側壁２４には、バケットベルト１４の往行程イと復行程ロとの左右間隔部以内に対応すべく供給口２５を設けると共に、この供給口２５部には水分計２６を着脱自在に設けている。水分計２６は例えば一対の電極ロール間でサンプル粒の１粒を圧砕しながらその抵抗値を電気的処理して穀粒水分値に換算する構成である。
【００１０】
機枠１背面側には、排風装置７を設ける。排風装置７は、高速回転する遠心ファン３０、このファンを内蔵するファン胴３１、及び排風ダクト３２等からなる。機枠１背面に排風室８にのぞむ円形開口３３を形成し、ファン胴３１入り口部においてベルマウス状のガイド部３４を設ける。このガイド部３４に並列して遠心ファン３０を設けるが、回転軸３５中心に複数の羽根３６，３６…を所定角度に配設して片側吸入の遠心ファン３０に構成する。またファン胴３１は遠心ファン３０の回転に伴い起風し円形開口３２からの空気を上方に放出するべく構成される。ファン胴３１には、中間ダクト３２ａと最終ダクト３２ｂとからなる排風ダクト３２を接続している。中間ダクト３２ａは下部側がファン胴３１との接続部では矩形開放部とされるのに対し、上部側は円形の上向き開放部とされる。ファン胴３１の内側における案内部は前記ベルマウス状ガイド部３４の存在側から非存在側に向かって矩形断面のままやや方向変換すべく形成され、中間ダクト３２ａとの接合部から徐々に断面積を拡大しながら上部の円形開放部に至る形状とされる。
【００１１】
最終ダクト３２ｂは断面円形をなし、空気流れを上方向きから横方向きに変換すべくエルボ形態とされる。なお中間ダクト３２ａとは緩く嵌合しこの中間ダクト３２ａをベースに縦軸心回りに首振り自在に構成される。上記回転軸３５の外側端にはプーリ３７を設け、前記カウンタプーリ２１と一体に設ける第２カウンタプーリ２１ａと該プーリ３７との間にベルト３８を掛け回し、駆動モータ２０に連動連結する構成としている。
【００１２】
上記ベルマウス状のガイド部３４は乾燥機の壁部のバーリング加工によって得ることもできる。この場合には、このガイド部３４を囲うようにファン胴３１をこの乾燥機壁部に取付け構成されるもので、格別のガイド部材を要さずコストダウンできる。図５は制御ブロック図であり、コントローラ４０の制御部４１には、操作盤４２に配設した張込・乾燥・排出・停止の各モードスイッチ４３，４４，４５，４６、穀粒種類の選択を行う乾燥設定，設定水分，張込量の各設定スイッチ４７，４８，４９、乾燥時間設定のための増・減スイッチ５０，５１等の入力信号のほか、前記水分計２６，フレームロッド５２，熱風温度センサ５３，外気温度センサ５４，風量センサ５５等の各種検出信号を入力する。一方出力信号としては、前記駆動モータ２０，ドラムモータ２３等の循環系駆動モータ駆動信号、バーナ５駆動信号等がある。
【００１３】
ドラムモータ２３は間歇的に正逆回転駆動すべく制御出力される。即ち、円筒ドラム形状の所定幅を切欠き開口する繰出ドラム１０は、正転して該開口を下向きとなる位置に達し、直ちに３６０度逆転して再び開口を下向きとする。この動きを所定時間置きに実行させるべく上記ドラムモータ２３に制御出力される構成としている。
【００１４】
この制御部４１は次の機能を併せ有する。即ち、制御部４１に水分計２６からの検出信号処理によって仕上水分に達したことと判定すると、停止信号を出力する。この停止信号を受けて循環モータ２０やドラムモータ２３、あるいはバーナ５がその運転を停止するものである。上例の作用について説明する。
【００１５】
張込ホッパから昇穀機１１を利用して貯留タンク２に所定量の穀粒を張り込む。次いで穀粒種類、仕上水分等を設定して乾燥作業を開始する。乾燥スイッチ４４をオンすると、バーナ５，モータ２０および２３に駆動信号が出力される。モータ２０の駆動により、下部移送螺旋，昇降機，上部移送螺旋，拡散盤および遠心ファン３０を回転連動する。従って、バーナ５熱風は遠心ファン３０回転による起風に伴い機枠１内部を流通する。またモータ２３の駆動により、繰出ドラム１０を正逆連動回転するもので、ドラム１０内に溜まる穀粒を下部移送螺旋に排出しながら、流下通路の穀粒を流下させるものである。従って、貯留タンク２内の穀粒は乾燥室３を流下しながら熱風を浴び、集穀室４に至る。熱風を受けた穀粒は下側の移送螺旋で一側に移送され昇穀機１１で揚穀され、上部移送螺旋１６に引き継がれ再び貯留タンク２内に至り、暫くの間調質作用を受ける。このような行程を繰り返し予め設定した仕上水分値に達すると乾燥終了するものである。
【００１６】
ところで、遠心ファン３０の回転に伴い、機枠１の円形開口３２より排風を吸引し、上方に向けて吐出される。そして中間ダクト３１ａ，最終ダクト３１ｂを経て機外に排出されることとなる。ここで、空気流れについて説明すると、遠心ファン３０による旋回流は上方に向けられるが、中間ダクト３２ａの案内胴部は前記ベルマウス状ガイド部３４の存在側から非存在側に向かってやや方向変換されるから、ガイド部３４の外周を旋回する旋回流が徐々に当該方向に変換されようとし、全体の旋回流れに合流させ得、加えて断面積が徐々に拡大されるから、この中間ダクト３２ａ内においては全体として整流を得ることができる。
【００１７】
また、この中間ダクト３２ａはガイド部３４の存在側から非存在側に向かって矩形断面のままやや方向変換すべく形成されるから、機壁の突出部、例えばタンク部の接合鍔部を迂回できるため、組付け上で有利である。前記水分計２６について、その内部に１粒繰出部６１、一対の電極ロール６２、駆動モータ６３、ギヤ連動部６４、及び制御回路基板６５等を有する。回路基板６５上に各種制御回路例えば水分値算出制御部、データ信号出力部等を構成するものであるが、この基板６５には数ボルトまでの弱電回路を一まとめにして構成する。一方、モータトランス６６に代表される強電部はこの基板６５から離れた位置に、例えばモータ６３と制御基板６５との間の底板６７に支持させる構成としている。６８は、前記制御部４１を備えるコントローラ４０と、水分計２６の制御基板６５上の制御回路やモータトランス６６とを接続するためのハーネスであって、昇降機５前後の略同高さに開口６９，７０を形成すると共に、昇降機５にはこの開口６９，７０に一致して断面矩形のトンネル状貫通筒７１を当該昇降機５の前後に亘って設けてある。こうしてハーネス６８をトンネル状貫通筒７１を通すことによって、その一端を近傍のコントローラに接続すると共に他端を水分計内部にのぞませ、上記制御回路基板６５等と着脱自在にコネクタ接続されることとなる。上記に構成によれば、昇降機５の水分計２６存在側にハーネス類が見えないために見栄えを損なわず、かつ鼠害を防止しうる。
【図面の簡単な説明】
【図１】 一部を断面した要部の側断面図である。
【図２】 乾燥機本体の正面図である。
【図３】 乾燥機本体の正断面図である。
【図４】 要部の背面図である。
【図５】 制御ブロック図である。
【図６】 操作盤面の正面図である。
【図７】 水分計の正断面図である。
【図８】 水分計の側断面図である。
【符号の説明】
１…機枠、２…貯留タンク、３…乾燥室、４…集穀室、５…バーナ、６…熱風室、７…吸引ファン、８…排風室、９，９…穀粒流下通路、１０…繰出ドラム、１１…昇穀機、１３…バケット、１４…バケットベルト、１５…下部移送螺旋、１６…投げ口開口部、１７…上部移送螺旋、１８…移送樋、１９…回転拡散盤、２０…駆動モ−タ、２１…カウンタプーリ、２２…下部移送螺旋軸、２３…ドラムモータ、２４…側壁、２５…供給口、２６…水分計、２７…取出口、３０…遠心ファン、３１…ファン胴、３２…排風ダクト、３３…円形開口、３４…ガイド部、３５…回転軸、３６，３６…羽根、３７…プーリ、３８…ベルト、４０…コントローラ、４１…制御部、４２…操作盤、４３…張込スイッチ、４４…乾燥スイッチ、４５…排出スイッチ、４６…停止スイッチ、４７…穀粒種類設定スイッチ、４８…仕上水分設定スイッチ、４９…張込量設定スイッチ、５０，５１…増・減スイッチ、５２…フレームロッド、５３…熱風温度センサ、５４…外気温度センサ、５５…風量センサ、６１…１粒繰出部、６２…電極ロール、６３…モータ６３、６４…ギヤ連動部、６５…制御回路基板、６６…モータトランス、６７…底板、６８…ハーネス、６９，７０…開口、７１…トンネル状貫通筒
【図１】
0003783355.tif 000002
【図２】
0003783355.tif 000003
【図３】
0003783355.tif 000004
【図４】
0003783355.tif 000005
【図５】
0003783355.tif 000006
【図６】
0003783355.tif 000007
【図７】
0003783355.tif 000008
【図８】
0003783355.tif 000009